(57)【要約】  【課題】  対面抱っこのままで容易且つ即座にヘッドサポートを使用対応状態とすることができ、しかも、ヘッドサポートの不使用時においてはキャリア本体に収納保管し得るようにした改良されたベビーキャリアを提供する。  【解決手段】  肩掛けベルト４によって幼児を対面抱っこで保持するキャリア本体１の背当て部1-1に上部開口の収納部３を備え、該収納部３の開口部内にヘッドサポート２の下端側を縫着により取り付けることによって、ヘッドサポート２を収納部３に出し入れ収納自在とする。そして、ヘッドサポート２を柔軟なシート地から形成して、その下端側に通気性用の開口部10を設けると共に、上端両側には肩掛けベルト４に係脱自在に連結する連結具11を備えている。  【選択図】    図１
2007215551.tif 000002
【特許請求の範囲】
【請求項１】
肩掛けベルトによって幼児を対面抱っこで保持しつつ、幼児の頭を支えるためのヘッドサポートを備えてなるベビーキャリアにおいて、
キャリア本体の背当て部に上部開口の収納部を備えると共に、該収納部の開口部近傍にヘッドサポートの下端側を取り付けて同ヘッドサポートを前記収納部に出し入れ収納自在と成し、
前記ヘッドサポートは、柔軟なシート地から形成され、上端両側には両側の肩掛けベルトに係脱自在に連結するための連結具が備えられていることを特徴とするベビーキャリア。
【請求項２】
請求項１記載の収納部は、背当て部の表面に、同背当て部の上縁側を除くその周縁に沿ってシート地を縫着することによって、背当て部の表面側に形成されていることを特徴とするベビーキャリア。
【請求項３】
上記ヘッドサポートは、下端側を収納部の開口部内に取り付けると共に、該収納部から取り出して上端両側を肩掛けベルトに連結した時に、背当て部より上方に突出する下端側部分に適宜の大きさで上向きに抉られた開口部が設けられていることを特徴とする請求項１又は２記載のベビーキャリア。
【発明の詳細な説明】
【技術分野】
【０００１】
本発明は、肩掛けベルトによって幼児を対面抱っこで保持しつつ、幼児の頭を外側から支えるためのヘッドサポートを備えるベビーキャリアに関する。
【背景技術】
【０００２】
従来から、乳幼児等の頭を支えるヘッドサポートを備えるベビーキャリアは、種々対応の商品が開発され、提案されているが、何れの商品もヘッドサポートが着脱自在に設けられており、使用するに際しては背当て部に装着する等の取り付けが必要となって、即座に対応させることができないものとなっている（例えば特許文献１）。
【０００３】
因みに、ヘッドサポートは、首が十分に座っていない生後間もない乳幼児等を対面抱っこする等場合には頭を外側から支えるように常時使用されるものである。
一方、首が座った幼児においては幼児が起きている間は使用しない傾向がある。つまり、ヘッドサポートは幼児の頭を外側から支えるために使用されるものであるが、首が座った幼児に対し継続して使用すると、窮屈な圧迫感等を幼児に与えたり、頭を自由に動かすことを拘束したり、視界を狭める等から、幼児が起きている間は使用しないことが多い。そして、眠った場合等には頭を外側から支えるように使用される傾向がある。
【０００４】
即ち、特許文献１に開示されているヘッドサポートは、その下端側に、背当て部の上部等に設けられている係止突起に係脱自在に係着させる止め輪を設けることによって、背当て部に対し着脱自在と成し、そして、上端側に設けられている補強ベルトを、肩掛けベルトに連結具を介して係脱自在に連結させることによって、対面抱っこの幼児の頭を外側から支えられるようにしている。
従って、従来では、ヘッドサポートを背当て部に取り付けるに際して、抱っこした状態ではヘッドサポートの止め輪を、背当て部の係止突起に取り付けることができないために、使用者は一旦ベビーキャリアを外さなければならないと言った使い勝手が非常に悪いものとなっていた。
この様に、従来のヘッドサポートは、ベビーキャリアへ取り付けたり、取り外したりする着脱が面倒で、幼時が眠った時等に即座に対応させることができないものとなっていた。
尚、使用しない時にヘッドサポートを背当て部から取り外さずに、その内側や外側に垂らした状態とすることも考えられるが、背当て部の内側に垂らした状態にすると、幼児の尻や背中によって下側に引っ張られることが繰り返されて短期間で破れる等の損傷を起す原因になる。他方、外側に垂らした状態にすると、見てくれが悪くなる等、好ましいものとはならない。
【０００５】
【特許文献１】実用新案登録第２５７６７７５号
【発明の開示】
【発明が解決しようとする課題】
【０００６】
本発明が解決しようとする課題は、対面抱っこのままで容易且つ即座にヘッドサポートを使用対応状態とすることができ、しかも、不使用時においてはキャリア本体に収納保管し得るように改良されたヘッドサポート付のベビーキャリアを提供することにある。
【課題を解決するための手段】
【０００７】
上記課題を解決するために本発明は、請求項１では、肩掛けベルトによって幼児を対面抱っこで保持しつつ、幼児の頭を支えるためのヘッドサポートを備えてなるベビーキャリアにおいて、キャリア本体の背当て部に上部開口の収納部を備えると共に、該収納部の開口部近傍に下端側を取り付けて同ヘッドサポートを前記収納部に出し入れ収納自在と成し、
前記ヘッドサポートは、柔軟なシート地から形成され、上端両側には肩掛けベルトに係脱自在に連結するための連結具が備えられていることを特徴とするベビーキャリアにある。
ここで、ヘッドサポートを形成する柔軟なシート地は、幼児の頭に優しく通気性に優れたメッシュ等からなる内側素材と適度の保形性と撥水性に優れたナイロン等からなる外側素材との合わせ生地又はメッシュ単体からなり、幼児の頭を包み込む程度の大きさを有する適宜の形状に形成され、その下端側が、背当て部に備えた収納部の開口部近傍に縫着されることによって、ヘッドサポートがキャリア本体に取り付けられるようにしている。
また、ヘッドサポートを肩掛けベルトに係脱自在に連結するための連結具としては特に限定されるものではないが、雄雌一対からなるバックル、又は肩掛けベルトを挟み込むように挾着する上顎と下顎からなる挟持体等が挙げられる。
【０００８】
そして、上記収納部は、背当て部の表面に、同背当て部の上縁側を除くその周縁に沿ってシート地を縫着することによって、背当て部の表面側に形成することが好適なものとなる（請求項２）。
【０００９】
また、上記ヘッドサポートは、下端側を収納部の開口部内に取り付けることが好適なものとなる。そして、ヘッドサポートを収納部から取り出して上端両側を肩掛けベルトに連結した時に、背当て部より上方に突出する下端側部分に適宜の大きさで上向きに抉られた開口部を設ける。例えば上向き略半円状に抉られた開口部を設けて、幼児の肩から首筋等が露出するようにすることが好適なものとなる（請求項３）。
【発明の効果】
【００１０】
本発明の請求項１記載によれば、ヘッドサポートを使わない時には収納部に収納保管しておくことができる。そして、幼児が居眠りを始めた時には収納部からヘッドサポートを取り出し、その上端側を、両側に備えた連結具によって肩掛けベルトに連結することで、幼児の頭を外側から支える使用形態に即座に対応させることができる。
つまり、従来品のように、キャリア本体を使用者から一旦外して、ヘッドサポートを取付けなければならないと言った面倒で煩わしいことを一切せずに、幼児を抱っこしたままで、ヘッドサポートを使用形態に即座に対応させることができ、使い勝手が大幅に改善された利便性の高いヘッドサポート付のベビーキャリアを提供することができる。
【００１１】
また、請求項２記載によれば、上記請求項１記載の作用に加えて、収納部は、キャリア本体の背当て部の表面に取り付けるシート地の縫着により、背当て部の表面側に簡単に形成することができる。
【００１２】
また、請求項３記載によれば、ヘッドサポートの使用時において幼児の肩から頭全体をすっぽりと覆うことなく、肩から首筋等を開口部にて露出させることができることで、通気性を良好ならせしめ、蒸れたりすることがない快適な状態で幼児を対面抱っこすることが可能になる。
【発明を実施するための最良の形態】
【００１３】
本発明の最良の実施形態を図１〜図４に基づいて説明する。
【実施例１】
【００１４】
図１は、本発明ベビーキャリアの実施形態の一例を示し、１はキャリア本体、２はヘッドサポート、３は収納部である。
【００１５】
キャリア本体１は、周知の素材、例えば裏地として通気性に優れたディンプル生地を用いてその表面に宛がわれる撥水性に優れたシート地（表面シート地）とによって適宜の大きさに縫着形成される背当て部1-1と、この背当て部1-1の下端から連設される尻受け部1-2とで構成された周知の構造形態を成し、背当て部1-1の上縁両側には２本の肩掛けベルト４の一端側が夫々縫着によって取り付けられている。
【００１６】
肩掛けベルト４は、キャリア本体１と同じ素材によって適宜の幅を有する帯状に形成され、その他端には使用者の背中に当る背当てパット５が縫着されて取り付けられている。
そして、背当てパット５には２本の連結ベルト６の一端が縫着によって取り付けられており、この連結ベルト６は、キャリア本体１の尻受け部1-2に連結具７によって係脱自在に連結されるようにしてある。
【００１７】
連結具７は、図示にように、雄雌一対のバックル7-1，7-2からなり、雄側バックル7-1は、上記連結ベルト６に夫々備えられ、雌側バックル7-2は、キャリア本体１の尻受け部1-2の両側に夫々備えられて、肩掛けベルト４と連結ベルト６とを係脱自在に連結し、これによって、キャリア本体１が使用者の前面に、幼児を対面抱っこし得る状態に保持されるようにしてある。
尚、雄側バックル7-1に対して連結ベルト６は、ベルト長さが任意に調節されるように取り付けられている。即ち、使用者の体格に合わせてベルト長さを自在に調節できるようにしてある。
【００１８】
また、本例では図示のように、幼児の上半身に巻き止める補助ベルト８を背当て部1-1に取り付けて、幼児の上半身を包み込むように保持する背当て部1-1とによって幼児を一体に且つより一層安全に保持することができるようにしている。
尚、この補助ベルト８は、その長さ方向の中間部においては連結具９によって分離係脱可能に形成している。
【００１９】
連結具９は、雄雌一対からなるバックル9-1，9-2であり、雄側バックル9-1に対して補助ベルト８はベルト長さが任意に調節されるように取り付けられている。即ち、幼児の体格に合わせてベルト長さを自在に調節し得るように形成されている。
【００２０】
この様に構成されているキャリア本体１に取り付けられるヘッドサポート２は、幼児の頭に優しく通気性に優れたメッシュ等からなる内側素材と適宜の保形性と撥水性に優れたナイロン等からなる外側素材との合わせ生地から周囲に沿って縫着されることで、幼児の頭を包み込む程度の大きさで、下端縁側を狭く、上端縁側を広くした略逆台形状に形成され、図３に示すように、下端縁の両側がキャリア本体１の背当て部1-1に形成される収納部３の開口部内に縫着されることによって、キャリア本体１に取り付けられるようにしている。
【００２１】
そして、キャリア本体１に縫着により取り付けられるヘッドサポート３の下端縁の両側を除くその中央部位を適宜の形状にて上向きに抉る。例えば適宜大きさの略半円状等に抉るように開口せしめることによって、ヘッドサポート２を収納部３から取り出して上端両側を肩掛けベルト４に連結した時に幼児の肩から首筋等が露出するようにしている。
この様に、ヘッドサポート２の下端縁の一部に開口部10を設けることによって、通気性を良好ならせしめ、蒸れたりすることがない快適な状態で幼児を対面抱っこすることが可能になる。加えて、ヘッドサポート２は、通気性に優れたメッシュ等からなる内側素材と適宜の保形性と撥水性に優れたナイロン等からなる外側素材との合わせ生地からなることで、汚れが落ち易く、洗濯等によるお手入れも簡単にできる。
【００２２】
また、ヘッドサポート２の上端縁両側には肩掛けベルト４に係脱自在に連結支持させる連結具11が備えられており、この連結具11により幼児の頭を支えるようにヘッドサポート２が定形保持されるようにしている。
【００２３】
連結具11としては特に限定されるものではないが、脱着操作性や確実性等を考慮するならば、雄雌一対からなるバックル11-1，11-2が挙げられる。
そして、雌側バックル11-2は両肩掛けベルト４に直接的に夫々取り付けられると共に、雄側バックル11-1はヘッドサポート２の上端両側に補助ベルト12を介して夫々取り付けられ、ヘッドサポート２を肩掛けベルト４に簡単且つ容易に連結して確実に保持させることができる一方で、その連結状態を簡単に解除することができるようにしている。
【００２４】
尚、図示のように、雄側バックル11-1に対して補助ベルト12は、ベルト長さが任意に調節されるように取り付けられており、幼児の体格（頭の大きさ）に応じてヘッドサポート２の肩掛けベルト４へ対する連結長さ寸法を自在に調節できるようにしてある。
【００２５】
ヘッドサポート２を収納保管する収納部３は、背当て部1-1の上縁側を除くその周縁に沿って保形性と撥水性に優れたナイロン等からなるシート地を縫着することによって、背当て部1-1の表面側に、上部開口の袋状に形成されるものである。
そして、収納部３の開口部内における背当て部1-1の表面とシート地の裏面とにはベルベットファスナー（面ファスナー）、ホック、ファスナ等からなる閉じ手段13、図示例ではベルベットファスナー13-1，13-2が備えられており、収納保管されているヘッドサポート２が不用意に飛び出したりしないように収納部３の開口部を閉じることができるようにしてある。
【００２６】
而して、以上の如く構成された本例のベビーキャリアによれば、ヘッドサポート２を使わない時には図５（ａ）に示すように、収納部３に収納保管しておくことができる。
そして、幼児が居眠りを始めた時には図５（ｂ）に示すように、収納部３からヘッドサポート２を取り出し、その上端両側に備えられている雄側バックル11-2を、肩掛けベルト４に備えられている夫々の雌側バックル11-1に連結することで、幼児の頭を外側から支えるようにヘッドサポート２を定形保持させることができる使用形態に即座に対応させることができる。
【００２７】
尚、本考案の具体的な実施例にあっては、前述の実施例１構成に限定されるものではなく、請求項１〜２記載の要旨を免脱しない範囲で種々変更して行うことができるものである。
【図面の簡単な説明】
【００２８】
【図１】本発明ベビーキャリアの実施形態の一例を示す正面図
【図２】同背面図
【図３】同要部の拡大図で、収納部の開口部を開いた状態を示す
【図４】収納部内にヘッドサポートを収納させた状態を示す正面図
【図５】キャリア本体を着用せしめた使用状態の斜視図で、（ａ）はヘッドサポートを使わないで収納部の収納保管している状態を示し、（ｂ）はヘッドサポートを使用している状態を示す
【符号の説明】
【００２９】
１：キャリア本体    1-1：背当て部
1-2：尻受け部         ２：ヘッドサポート
３：収納部           ４：肩掛けベルト
10：開口部           11：連結具
【図１】
2007215551.tif 000003
【図２】
2007215551.tif 000004
【図３】
2007215551.tif 000005
【図４】
2007215551.tif 000006
【図５】
2007215551.tif 000007